(57)【特許請求の範囲】
【請求項１】
天井の埋込孔に取付けられる筒部を有し前記筒部よりも外側方に張り出した非常点灯点検用の点検スイッチを有し前記筒部内にランプが配置されて前記筒部の開口より光を放射する器具本体と、前記筒部の開口の周縁部に設けられて前記開口を塞ぐ透光パネルを取付けるとともに長方形の角孔を形成した開口枠と、前記筒部の内周面に摺動自在に支持されるとともに前記角孔に摺動自在に通されて外端を前記開口枠から突出し内端を前記点検スイッチの作動部にひもにより連結した板状の点検操作片とを備え、前記角孔の長手方向が開口枠の周方向に平行である非常用照明器具。
【発明の詳細な説明】
【０００１】
【産業上の利用分野】
この発明は、非常用照明器具に関するものである。
【０００２】
【従来の技術】
非常用照明器具は、電池および非常点灯点検用の点検スイッチを設け、停電時等に電池により点灯するとともに、通常時に点検スイッチにより非常点灯できるか否かを常時点検できるようにしている。
従来、開口枠の内側に点検スイッチを取付け、その開口枠の孔から点検スイッチを引き下ろしたものがあった（たとえば実開昭６０−９０７０５号）  。しかし、開口枠に点検スイッチのスペースを設ける必要があるため、開口枠が大型化する欠点があった。
【０００３】
これに対して、図６に示すように器具本体５０内に取付けられたボックス５８内に点検スイッチ５１を設け、点検スイッチ５１のひも５２をパネル５３の内側に垂らしたものがあった。５４はランプ、５５は取付具、５６は天井、５７は埋込穴、５９はボックス５８に取付けられたランプソケット、６０はパネル５３を支持する開口枠であり、マジックばねにより器具本体５０に支持される。
【０００４】
この照明器具によれば、開口枠６０に点検スイッチ５１の取付スペースを設ける必要がなく、小型化できる。
【０００５】
【発明が解決しようとする課題】
しかし、この非常用照明器具は、開口枠６０を外してパネル５３を外さなければ点検スイッチ５１のひも５２を操作することができないという欠点があった。またパネル５３の面に点検スイッチ５１の影が映った。
したがって、この発明の目的は、器具本体に点検スイッチを設けたものにおいて、開口枠を外すことなく点検スイッチを操作することができるとともに操作片によるパネル面の影を防止することができる非常用照明器具を提供することである。
【０００６】
【課題を解決するための手段】
請求項１の非常用照明器具は、天井の埋込孔に取付けられる筒部を有し前記筒部よりも外側方に張り出した非常点灯点検用の点検スイッチを有し前記筒部内にランプが配置されて前記筒部の開口より光を放射する器具本体と、前記筒部の開口の周縁部に設けられて前記開口を塞ぐ透光パネルを取付けるとともに長方形の角孔を形成した開口枠と、前記筒部の内周面に摺動自在に支持されるとともに前記角孔に摺動自在に通されて外端を前記開口枠から突出し内端を前記点検スイッチの作動部にひもにより連結した板状の点検操作片とを備え、前記角孔の長手方向が開口枠の周方向に平行である。
【０００８】
【作用】
請求項１の非常用照明器具によれば、開口枠より突出した点検操作片を操作すると点検スイッチが動作し非常点灯を確認することができる。この場合、点検操作片を板状にし開口枠の角孔に通しているため、開口枠を外すことなく点検スイッチを操作でき、また透光パネルの面に点検操作片の影が出ない。また開口枠に板状の点検操作片の一部を突出しているため配光の妨げにならず、さらに点検操作片が板状のため開口枠の長方形の角孔からの光漏れがない。
【０００９】
また、前記器具本体が天井の埋込穴に取付けられるものであり、前記点検スイッチは前記器具本体の側部に張り出すように取付けられ、前記点検操作片を貫挿する前記角孔の長手方向が前記開口枠の周方向に平行としたため、板状の点検操作片を器具本体の内側で開口枠と透光パネルとの間の隙間を利用して、器具本体から開口枠の角孔に通すことができるとともに、器具本体の高さが大きくならないので天井裏が低い箇所にもこの非常用照明器具を適用することができる。
【００１０】
【実施例】
この発明の一実施例を図１ないし図５により説明する。すなわち、この非常用照明器具は、器具本体１と、開口枠２と、点検操作片３とを有する。器具本体１は、電池４および非常点灯点検用の点検スイッチ５を取付けるとともに光を放つ開口６を有する。実施例の器具本体１は図２に示すように天井７の埋込穴８に取付けられるものであり、器具本体１は埋込穴８に嵌合する筒部９と、筒部９に設けられた支柱部１０と、支柱部１０から側方に張出した部品取付部１１と、筒部９および支柱部１１の内側に取付けられた反射鏡１２とを有する。また器具本体１の支柱部１０に形成した取付具挿通スリット１３に図６と同様な構造の取付具（図示せず）を取付けて天井裏に係止するとともに、筒部９の端部に外向きつば１４を形成して埋込穴８の縁部に係止している。そして部品取付部１１に安定器１５、ランプソケット１６、端子台１７およびボックス９が取付けられている。電池４および点検スイッチ５はボックス４１に収納されることにより、器具本体１の側部に張り出すように取付けられ、フレキシブルパイプ１８を通して配線している。１９はランプソケット１６に装着された片口金ランプ、２５は支柱部１０に形成されたマジックばね係止爪である。なお、電池４、点検スイッチ５、ランプソケット１６、端子台１７、安定器１５等を接続する点灯回路の構成は公知のものを適用するので詳細を省略する。
【００１１】
開口枠２は、開口６の周縁部に設けられて開口６を塞ぐ透光パネル２０を取付けるとともに長方形の角孔２１を形成している。実施例の開口枠２はリング状板の内周縁２３を折り返してその縁部を垂直に立ち上げるように曲げ、外周縁２２を内周縁２３と同方向に折曲し、外周縁２２と内周縁２３の間に器具本体１の開口６の縁部のつば１４が挿入されるようにしている。また折返し部２４にガラス製の透光パネル２０が載置される。この開口枠２は線ばねを折曲することにより形成したマジックばね（図示せず）により係止爪２５に摺動自在に係止して開口枠２を所定長さ器具本体１の開口６から引き下ろし、さらにマジックばねを係止爪２５から着脱できるようにしている。
【００１２】
点検操作片３は板状であり、角孔２１に摺動自在に通されて外端２６を開口枠２から突出するとともに内端２７を点検スイッチ５に接続している。実施例の点検操作片３を貫挿する角孔２１の長手方向は開口枠２の周方向に平行になっている。また実施例では器具本体１の筒部９に切曲部３０を形成して点検操作片３を器具本体１に摺動自在に支持し、透光パネル２０を支持する開口枠２の内周縁２２と、器具本体１の筒部９との間の隙間Ｄを通して角孔２１に挿通している。さらに点検操作片３の上端部に連結孔３１を形成し、下端部につまみ用孔３２を形成し、連結孔３１に線材を曲げて形成したひも連結具３３を引掛け、ひも連結具３３に可撓性索条であるひも３４の一端を連結して点検スイッチ５の作動部にひも３４の他端を連結している。またひも３４の中間部をガイドするため、スペーサビスすなわちひも３４を摺動自在にガイドする周溝３６を形成したねじ３５を器具本体１に取付けるとともに、コイルばね３７の一端を器具本体１にねじ３８により取付け固定し、コイルばね３７の他端に曲成した輪部３９にひも３４を通してひも３４をガイドしている。したがって、点検操作片３はひも３４に吊持されている。
【００１３】
この実施例によれば、開口枠２より突出した点検操作片３を操作すると点検スイッチ５が動作し非常点灯を確認することができる。この場合、点検操作片３を板状にし開口枠２の角孔２１に通しているため、開口枠２を外すことなく点検スイッチ５を操作でき、また透光パネル２０の面に点検操作片３の影が出ない。また開口枠２に板状の点検操作片３の一部を突出しているため配光の妨げにならず、さらに点検操作片３が板状のため開口枠２の長方形の角孔２１からの光漏れがない。
【００１４】
またこの実施例は、器具本体１が天井７の埋込穴８に取付けられるものであり、電池４および点検スイッチ５は器具本体１の側部に張り出すように取付けられ、点検操作片３を貫挿する角孔２１の長手方向が開口枠２の周方向に平行としたため、板状の点検操作片３を器具本体１の内側で開口枠２と透光パネル２０との間の隙間Ｄを利用して、器具本体１から開口枠２の角孔２１に通すことができるとともに、器具本体１の高さが大きくならないので天井裏が低い箇所にもこの非常用照明器具を適用することができる。
【００１５】
さらに、点検操作片３と点検スイッチ５とを可撓性索条により接続したため、点検スイッチ５と点検操作片３との位置関係の制約が緩和されるので製造容易になる。
なお、この発明において電池４は蓄電池でもよい。
【００１６】
【発明の効果】
請求項１の非常用照明器具によれば、開口枠より突出した点検操作片を操作すると点検スイッチが動作し非常点灯を確認することができる。この場合、点検操作片を板状にし開口枠の角孔に通しているため、開口枠を外すことなく点検スイッチを操作でき、また透光パネルの面に点検操作片の影が出ない。また開口枠に板状の点検操作片の一部を突出しているため配光の妨げにならず、さらに点検操作片が板状のため開口枠の長方形の角孔からの光漏れがないという効果がある。
【００１７】
また、前記器具本体が天井の埋込穴に取付けられるものであり、前記点検スイッチは前記器具本体の側部に張り出すように取付けられ、前記点検操作片を貫挿する前記角孔の長手方向が前記開口枠の周方向に平行としたため、板状の点検操作片を器具本体の内側で開口枠と透光パネルとの間の隙間を利用して、器具本体から開口枠の角孔に通すことができるとともに、器具本体の高さが大きくならないので天井裏が低い箇所にもこの非常用照明器具を適用することができる。
【図面の簡単な説明】
【図１】この発明の第１の実施例の部分側面図である。
【図２】その半断面側面図である。
【図３】下から見上げた照明器具の底面図である。
【図４】電池等を収納したボックスの側面図である。
【図５】点検操作片の取付状態を示す部分断面図である。
【図６】従来例の半断面側面図である。
【符号の説明】
１    器具本体
２    開口枠
３    点検操作片
４    電池
５    点検スイッチ
６    開口
２０    透光パネル
２１    角孔
２６    外端
２７    内端
【図１】
0003575040.tif 000002
【図２】
0003575040.tif 000003
【図３】
0003575040.tif 000004
【図４】
0003575040.tif 000005
【図５】
0003575040.tif 000006
【図６】
0003575040.tif 000007